(57)【特許請求の範囲】
【請求項１】
ベース部材と、装飾体と、該装飾体をベース部材に対して昇降させる昇降機構と、を備えた昇降ユニットを有した遊技機であって、
前記昇降機構は、装飾体を支持して昇降方向へ伸縮する伸縮機構と、この伸縮機構を伸縮させる駆動機構と、を有し、
前記伸縮機構は、前記ベース部材により昇降自在に支持された第１の昇降部材と、前記ベース部材に固定された昇降方向へ延びる固定側ラックギヤと、前記第１の昇降部材によって昇降自在に支持された第２の昇降部材と、前記第２の昇降部材に固定された昇降方向へ延びる可動側ラックギヤと、前記第１の昇降部材により回転自在に軸支され且つ前記駆動機構によって該第１の昇降部材が昇降駆動される際に前記固定側ラックギヤによって回転駆動される第１のピニオンギヤと、前記第１の昇降部材によって回転自在に軸支されると共に前記第１のピニオンギヤによって回転駆動される第２のピニオンギヤと、前記第１の昇降部材により回転自在に軸支されると共に前記可動側ラックギヤ及び前記第２のピニオンギヤと噛合する第３のピニオンギヤと、を備え、
前記第１の昇降部材は前記ベース部材の前面に配置され、前記第２の昇降部材は前記第１の昇降部材の前面に配置され、前記第１のピニオンギヤは前記第１の昇降部材の裏面に配置され、前記第２のピニオンギヤは前記第１の昇降部材の裏面及び表面に夫々配置された裏面側ギヤ及び表面側ギヤから一体的に構成され、
前記駆動機構は、前記ベース部材に固定された正逆回転するモータと、該モータからの駆動力を受けて正逆転し且つ回転中心から偏心した位置にピンを突設した回動部材と、内側端部を前記第１の昇降部材によって回動自在に軸支されると共に外側端部を前記ベース部材によって昇降方向へ揺動自在に軸支され且つ長穴を有したアームと、を備え、
前記ピンは、前記アームの長穴と遊嵌し、前記回動部材が正逆転する際に該ピンが該長穴内を往復することにより、前記アームを揺動させるように構成されていることを特徴とする遊技機。
【発明の詳細な説明】
【技術分野】
【０００１】
本発明は、パチンコ遊技機を構成する遊技盤面上において重量物としての装飾体を昇降動作させることによって遊技進行上特徴的な演出効果を発揮させることができるようにした装飾体ユニットを備えた遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、遊技盤前面に昇降自在に配置した演出部材が、一定の遊技状態になると図柄表示装置の表示内容に連動して長いストロークで瞬時に昇降動作するようにした役物機構が開示されている。この役物機構は、モータ、ギヤ、回転板、アーム等から成り、演出部材を上昇させる際にはモータからの駆動力を利用するが、演出部材を下降させる際にはモータからの駆動力を遮断して自重により落下させる構成を採用している。
演出部材に可動部品、モータ、ギヤ、発光部品、プリント基板等を搭載して演出効果に多様性をもたせる場合、演出部材の重量が必然的に大きくなる。
【０００３】
しかし、この役物機構では演出部材の後方にモータ、ギヤ機構、アームから成る駆動機構が配置されているため、役物機構全体としての前後方向寸法（厚み）が大きくなり、これが遊技機の厚みを増大させる原因となっている。
また、演出部材を昇降させるガイド部の上下方向長が長くなるため、役物機構全体の高さ寸法が大きくなると言う問題も有している。
【先行技術文献】
【特許文献】
【０００４】
【特許文献１】特開２００７−７０５７公報
【発明の概要】
【発明が解決しようとする課題】
【０００５】
以上のように従来の演出部材（装飾体）を昇降させる役物機構では、演出部材の後方に多数の部品群から成る駆動機構を配置する必要があったため、厚さ方向寸法が増大して大型化するという問題があった。
本発明は上記に鑑みてなされたものであり、装飾体を昇降させるための部品群を平面的に配置することにより厚み方向寸法を減縮させるようにした装飾体ユニットを備えた遊技機を提供することを目的としている。
また、装飾体の上昇時（短縮時）の高さ幅を下降時（伸長時）の高さ寸法に比して大幅に減縮することを目的としている。
【課題を解決するための手段】
【０００６】
上記目的を達成するため、請求項１の発明に係る装飾体ユニットは、ベース部材と、装飾体と、該装飾体をベース部材に対して昇降させる昇降機構と、を備えた昇降ユニットを有した遊技機であって、前記昇降機構は、装飾体を支持して昇降方向へ伸縮する伸縮機構と、この伸縮機構を伸縮させる駆動機構と、を有し、前記伸縮機構は、前記ベース部材により昇降自在に支持された第１の昇降部材と、前記ベース部材に固定された昇降方向へ延びる固定側ラックギヤと、前記第１の昇降部材によって昇降自在に支持された第２の昇降部材と、前記第２の昇降部材に固定された昇降方向へ延びる可動側ラックギヤと、前記第１の昇降部材により回転自在に軸支され且つ前記駆動機構によって該第１の昇降部材が昇降駆動される際に前記固定側ラックギヤによって回転駆動される第１のピニオンギヤと、前記第１の昇降部材によって回転自在に軸支されると共に前記第１のピニオンギヤによって回転駆動される第２のピニオンギヤと、前記第１の昇降部材により回転自在に軸支されると共に前記可動側ラックギヤ及び前記第２のピニオンギヤと噛合する第３のピニオンギヤと、を備え、前記第１の昇降部材は前記ベース部材の前面に配置され、前記第２の昇降部材は前記第１の昇降部材の前面に配置され、前記第１のピニオンギヤは前記第１の昇降部材の裏面に配置され、前記第２のピニオンギヤは前記第１の昇降部材の裏面及び表面に夫々配置された裏面側ギヤ及び表面側ギヤから一体的に構成され、前記駆動機構は、前記ベース部材に固定された正逆回転するモータと、該モータからの駆動力を受けて正逆転し且つ回転中心から偏心した位置にピンを突設した回動部材と、内側端部を前記第１の昇降部材によって回動自在に軸支されると共に外側端部を前記ベース部材によって昇降方向へ揺動自在に軸支され且つ長穴を有したアームと、を備え、前記ピンは、前記アームの長穴と遊嵌し、前記回動部材が正逆転する際に該ピンが該長穴内を往復することにより、前記アームを揺動させるように構成されていることを特徴とする。
【発明の効果】
【０００８】
本発明によれば、装飾体ユニットの厚み方向寸法を減縮させると共に、装飾体の上昇時（短縮時）の高さ幅を下降時（伸長時）の高さ寸法に比して大幅に減縮することができる。
【図面の簡単な説明】
【０００９】
【図１】本発明の実施形態に係るパチンコ遊技機の一例を示した全体正面図である。
【図２】（ａ）及び（ｂ）は本発明の装飾体ユニットの構成を示す正面図、及び正面側斜視図である。
【図３】装飾体ユニットの分解斜視図である。
【図４】（ａ）（ｂ）及び（ｃ）は駆動機構及び伸縮機構の原理を説明するための説明図である。
【図５】（ａ）（ｂ）は伸縮機構が収縮状態（上昇位置）から伸長状態（下降位置）に至る過程を示す正面図である。
【図６】（ｃ）（ｄ）は図５の続きとしての伸縮機構が収縮状態（上昇位置）から伸長状態（下降位置）に至る過程を示す正面図である。
【図７】（ａ）（ｂ）は伸縮機構が収縮状態（上昇位置）から伸長状態（下降位置）に至る過程を示す正面側斜視図である。
【図８】（ｃ）（ｄ）は図７の続きとしての伸縮機構が収縮状態（上昇位置）から伸長状態（下降位置）に至る過程を示す正面側斜視図である。
【図９】（ａ）（ｂ）は伸縮機構が収縮状態（上昇位置）から伸長状態（下降位置）に至る過程を示す背面図である。
【図１０】（ｃ）（ｄ）は図９の続きとしての伸縮機構が収縮状態（上昇位置）から伸長状態（下降位置）に至る過程を示す背面図である。
【図１１】駆動機構の原理を説明するための略図である。
【発明を実施するための形態】
【００１０】
以下、本発明を図面に示した実施の形態により詳細に説明する。
図１は、本発明の実施形態に係る遊技機の一例としてのパチンコ遊技機を示した全体正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部に設けた開口５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【００１１】
図柄表示装置６の上部の遊技盤面には装飾体ユニット３０が設けられている。装飾体ユニット３０は、形状が種々変化する紋章を象った装飾体３１を備え、装飾体３１の左右両側方には夫々「水戸」及び「黄門」の文字を象った部材１５０が配置されている。
図柄表示装置６の下方には、図柄表示装置６の特別図柄を可変表示させるための可変入賞装置１１が設けられている。図柄表示装置６の左方には、図示しない普通図柄表示装置に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１２】
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
次に、図２乃至図１１に基づいて本発明の装飾体ユニットの構成、動作について説明する。
図２（ａ）及び（ｂ）は本発明の装飾体ユニットの構成を示す正面図、及び正面側斜視図であり、図３は装飾体ユニットの分解斜視図であり、図４（ａ）（ｂ）及び（ｃ）は駆動機構及び伸縮機構の原理を説明するための説明図であり、図５（ａ）（ｂ）、及び図６（ｃ）（ｄ）は伸縮機構が収縮状態（上昇位置）から伸長状態（下降位置）に至る過程を示す正面図であり、図７（ａ）（ｂ）、及び図８（ｃ）（ｄ）は伸縮機構が収縮状態（上昇位置）から伸長状態（下降位置）に至る過程を示す正面側斜視図であり、図９（ａ）（ｂ）、図１０（ｃ）（ｄ）は伸縮機構が収縮状態（上昇位置）から伸長状態（下降位置）に至る過程を示す背面図であり、図１１は駆動機構の原理を説明するための略図である。
【００１４】
装飾体ユニット３０は、装飾体３１と、ベース部材３５と、装飾体３１をベース部材３５に対して昇降させる昇降機構４０と、を備えている。
昇降機構４０は、装飾体３１を支持して昇降方向へ伸縮する伸縮機構４５と、この伸縮機構を伸縮させる駆動機構８０と、を有している。
伸縮機構４５は、ベース部材３５により昇降自在に支持された第１の昇降部材５０と、ベース部材３５に固定された上下方向（昇降方向）へ延びる固定側ラックギヤ３６と、第１の昇降部材５０によって昇降自在に支持された第２の昇降部材７０と、第２の昇降部材７０に固定された上下方向（昇降方向）へ延びる可動側ラックギヤ７５と、第１の昇降部材５０により回転自在に軸支され且つ駆動機構８０によって第１の昇降部材５０が昇降駆動される際に固定側ラックギヤ３６によって回転駆動される第１のピニオンギヤ５２と、第１の昇降部材５０によって回転自在に軸支されると共に第１のピニオンギヤ５２によって回転駆動される第２のピニオンギヤ５４（裏面側ギヤ５４ａ、表面側ギヤ５４ｂ）と、第１の昇降部材５０により回転自在に軸支されると共に可動側ラックギヤ７５及び第２のピニオンギヤ５４と噛合する第３のピニオンギヤ５６と、を備えている。
【００１５】
駆動機構８０は、ベース部材３５に設けたモータ穴３５ａの背面側に固定された正逆回転するモータ８１と、モータ８１の出力軸からの駆動力を受けて正逆転し且つ回転中心から偏心した位置にピン８３ａを突設した回動部材８３と、内側端部の軸支部８５ａを第１の昇降部材５０によって回動自在に軸支されると共に外側端部に設けた軸支部８５ｂをベース部材３５によって上下方向（昇降方向）へ揺動自在に軸支され且つ直線状の長穴８５ｃを有したアーム８５と、アーム８５を上昇方向へ付勢するトーションバネ８７と、を備える。
回動部材のピン８３ａは、アームに設けた長穴８５ｃ内に遊嵌し、回動部材８３が正逆転する際にピン８３ａが長穴８５ｃ内を往復することにより、アーム８５を軸支部８５ｂを中心として上下動させるように構成されている。アームの上下動に伴って、アーム先端に支持された第１の昇降部材５０に対して昇降方向への駆動力が伝達される。
なお、図１１に示すように、アーム先端の軸支部８５ａは、アーム側に設けた短尺長穴８５ａ｀内に第１の昇降部材５０側に設けた突起８５ａ”を遊嵌した構成を有する。このため、軸支部８５ｂを中心としたアーム８５の揺動を安定させることができる。
【００１６】
ベース部材３５の前面左側寄り適所には固定側ラックギヤ３６が上下方向（昇降方向）へ延びるように固定される一方で、固定側ラックギヤ３６の右方向には挿通穴３６ａを有した凸片３６ｂが４箇所設けられており、これらの挿通穴３６ａ内に上下方向（昇降方向）へ延びる二本の固定側ガイドロッド３７が所定の間隔を隔てて固定されている。各固定側ガイドロッド３７の下部は固定部材３６ｃによってベース部材に固定されている。また、ベース部材３５にはフォトセンサ３８が配置されており、第１の昇降部材５０に設けた被検知部３８ａを検知することにより第１の昇降部材５０が上昇位置にあることを検知して図示しない制御手段に送信するように構成されている。
第１の昇降部材５０に設けた被ガイド穴５１を二本の固定側ガイドロッド３７に挿通することにより、第１の昇降部材５０はベース部材３５によって上下方向（昇降方向）へガイドされる。
【００１７】
第１のピニオンギヤ５２は第１の昇降部材５０に設けた軸穴５３ａによって回転自在に軸支されて第１の昇降部材の裏面側に配置されている。第１の昇降部材５０に設けた軸穴５３ｂによって回転自在に軸支される第２のピニオンギヤ５４は、同軸状に一体化された裏面側ギヤ５４ａ及び表面側ギヤ５４ｂから成り、裏面側ギヤ５４ａは第１のピニオンギヤ５２と噛合し、表面側ギヤ５４ｂは第３のピニオンギヤ５６と噛合する。第３のピニオンギヤ５６は、第１の昇降部材５０に設けた軸穴５３ｃによって回転自在に軸支されている。第１のピニオンギヤ５２はラックギヤ３６と噛合し易いように第２のピニオンギヤ５４よりも大径に設定されており、第３のピニオンギヤ５６は第２のピニオンギヤ５４よりも大径に設定されている。従って、アーム８５が上下動することによって第１の昇降部材５０が上下動すると、固定側ラックギヤ３６に沿って上下動する第１のピニオンギヤ５２が回転し、順次第２、第３のピニオンギヤ５４、５６を回転させる。
また、第１の昇降部材５０の前面側に突出した上下の凸片５０ａ間には可動側ガイドロッド５５が連結部材５５ａを介して固定されている。
【００１８】
第２の昇降部材７０の右縦辺に沿った位置には可動側ラックギヤ７５が固定され、第３のピニオンギヤ５６と噛合している。従って、第３のピニオンギヤ５６が正逆転することにより第２の昇降部材７０は昇降する。
第２の昇降部材７０の左右両側部から突設した支持台座７２には、装飾体３１の背面が螺子止め固定されている。
固定側ラックギヤ３６、アーム８５、ピニオンギヤ５２、５４、５６、及び可動側ラックギヤ７５の位置関係は図４に示すように構成されている。即ち、モータ８１が正逆転すると回動部材８３のピン８３ａがアーム８５の長穴８５ｃ内を往復動するため、軸支部８５ｂを中心としてアーム８５が揺動して図４中に図示しない第１の昇降部材５０を上下動させる。この際、第１の昇降部材５０によって回転自在に軸支された第１のピニオンギヤ５２がベース部材に固定された固定側ラックギヤ３６に沿って上下動することにより自転を開始する。第１のピニオンギヤ５２の回転は第２のピニオンギヤ５４、第３のピニオンギヤ５６へと順次伝達される。第１の昇降部材５０によって上下動自在に支持された第２の昇降部材７０には可動側ラックギヤ７５が設けられているため、第３のピニオンギヤ５６が正逆転することによって第２の昇降部材７０は第１の昇降部材５０に対して上下動することができる。
【００１９】
図４（ａ）、図５（ａ）、図７（ａ）、図９（ａ）は伸縮機構の最上昇状態を示しており、装飾体３１が上昇位置にある時にアーム８５の内側端部（軸支部８５ａ）は外側端部（軸支部８５ｂ）よりも上方に位置しており、且つ長穴８５ｃの内側端縁（正面視左端部）はその外側端縁（正面視右端部）よりも上方に位置している。更にピン８３ａは長穴８５ｃの外側端縁寄りに位置しており、この時のピンは回動部材８３の回動中心よりも外側（右側）に位置している。この状態ではピンと長穴とがロックした状態にあるため、モータ８１を停止させたとしても、装飾体３１や伸縮機構４５の自重によって昇降機構４０全体が下降することがない。
次に、図４（ｂ）、図５（ｂ）、図６（ｃ）、図７（ｂ）、図８（ｃ）、図９（ｂ）、図１０（ｃ）は第１及び第２の昇降部材が下降する途中の状態を示しており、最上昇位置において停止していたモータ８１が下降方向へ回転を開始するとピン８３ａは長穴内を内側（左側）へ向けて移動開始するため、アームが軸支部８５ｂを中心として下方へ揺動を開始し、第１の昇降部材５０を下降させる。このため、第１のピニオンギヤ５２が固定側ラックギヤ３６によって回転させられ、この回転力は順次第２、第３のピニオンギヤ５４、５６へと伝達される。第３のピニオンギヤ５６の回転は可動側ラックギヤ７５に伝達されるため、第２の昇降部材７０も下降を開始する。
【００２０】
図６（ｄ）、図８（ｄ）、図１０（ｄ）は最下降状態を示しており、ベース部材３５に対する第１、第２の昇降部材５０、７０の離間距離が最大となっている。
第１の昇降部材５０は図１１中に示したように第１のピニオンギヤ５２が固定側ラックギヤ３６に沿って最大限下降し得る位置まで下降すると共に、第２の昇降部材７０は第２のピニオンギヤ５６が可動側ラックギヤ７５に沿って最大限下降し得る位置まで下降するため、第２の昇降部材７０に固定された装飾体３１の最大昇降距離は第１の昇降部材単体の昇降距離を更に上回る距離となる。
【００２１】
このように本発明の装飾体ユニットにあっては、装飾体３１の上昇時には伸縮機構４５の上下幅は最小となる一方で、装飾体の下降時には伸縮機構が伸長して上下幅が最大となる。しかも、伸縮機構はベース部材に対して第１及び第２の昇降部材５０、７０が二段階で伸縮するように構成されているため、伸縮機構の伸長時の上下幅を短縮時の上下幅の二倍以上にすることができる。このため、遊技盤面という限られたスペース内で装飾体ユニットの伸長距離を可能な限り大きく確保して演出効果を高め、遊技内容のバリエーションを拡大することができる。
更に、この装飾体ユニットの構成部品は、薄板状のベース部材３５、第１及び第２の昇降部材５０、７０と、第１の昇降部材の裏面と表面に分けてコンパクトに配置された薄肉のギヤ群５２、５４、５６と、ベース部材３５の裏面から一部が後方へ突出したモータ８１等から構成されているに過ぎないため、装飾ユニットの前後方向寸法（厚み）を薄くして遊技盤に対する取付スペースを狭くすることができる。
なお、パチンコ遊技機の詳細な構成については図示説明していないが、本願発明の技術的範囲中にパチンコ遊技機、及び遊技盤ユニット（遊技盤＋装飾体ユニット）が含まれることに疑いがない。
【符号の説明】
【００２２】
１…遊技盤、１ａ…遊技領域、２…ガラス枠、４…発射レバー、５…開口、１０…アウト口、１１…可変入賞装置、１２…ゲート、１３…大入賞口、１４…普通入賞口、１５…風車、３０…装飾体ユニット、３１…装飾体、３５…ベース部材、３５ａ…モータ穴、３６…固定側ラックギヤ、３６ａ…挿通穴、３６ｂ…凸片、３６ｃ…固定部材、３７…固定側ガイドロッド、３７ａ…被検知部、３８…フォトセンサ、４０…昇降機構、４５…伸縮機構、５０…第１の昇降部材、５１…被ガイド穴、５２…第１のピニオンギヤ、５３ａ…軸穴、５３ｂ…軸穴、５３ｃ…軸穴、５４…第２のピニオンギヤ、５４ａ…裏面側ギヤ、５４ｂ…表面側ギヤ、５５…可動側ガイドロッド、５６…第３のピニオンギヤ、７０…第２の昇降部材、７２…支持台座、７５…可動側ラックギヤ、８０…駆動機構、８１…モータ、８３…回動部材、８３ａ…ピン、８５…アーム、８５ａ…軸支部、８５ａ｀…短尺長穴、８５ａ”…突起、８５ｂ…軸支部、８５ｃ…長穴、８７…トーションバネ
【図１】
0005119295.tif 000002
【図２】
0005119295.tif 000003
【図３】
0005119295.tif 000004
【図４】
0005119295.tif 000005
【図５】
0005119295.tif 000006
【図６】
0005119295.tif 000007
【図７】
0005119295.tif 000008
【図８】
0005119295.tif 000009
【図９】
0005119295.tif 000010
【図１０】
0005119295.tif 000011
【図１１】
0005119295.tif 000012